(57)【要約】      （修正有）【課題】外反母趾による痛みのある部分と靴の胛皮との接触を回避し、もって外反母趾に罹患している人の痛みを軽減する外反母趾対応靴を提供する。【解決手段】第１中足骨骨頭から第１基節骨を含む箇所及び第５中足骨骨頭から第５基節骨を含む箇所を圧迫摩擦しない弾性甲皮構成材料１７、１８で製造し、第１中足骨中央部分、第２中足骨中央部分、第３中足骨中央部分、第４中足骨中央部分及び第５中足骨中央部分を覆うウェスト部分を非弾性構成体で製造した靴本体及び近位部横アーチ及び遠位部横アーチに対応するボールジョイント部、並びに内側アーチに対応する箇所をクッション作用がある盛り高構造にしたインソール１９と組合せる。【選択図】図３
2013111469.tif 000002
【特許請求の範囲】
【請求項１】
第１中足骨骨頭から第１基節骨を含む箇所及び第５中足骨骨頭から第５基節骨を含む箇所を圧迫摩擦しない弾性甲皮構成材料で製造し、第１中足骨中央部分、第２中足骨中央部分、第３中足骨中央部分、第４中足骨中央部分及び第５中足骨中央部分を覆うウェスト部分を非弾性構成体で製造した靴本体、及び第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある盛り高構造にし、踵骨内側、舟状骨、第１楔状骨及び第１中足骨で形成されている内側アーチに対応する箇所をクッション作用がある盛り高構造にしたインソールとの組合せから成る外反母趾対応靴外反母趾対応靴。
【請求項２】
前記弾性甲皮構成材料が、ストレッチポリウレタン合皮又はストレッチ人工皮革と、スパンデックス、ストレッチサンドイッチメッシュ、ニット素材又はスウェット素材との組合せである請求項１記載の外反母趾対応靴。
【請求項３】
前記非弾性甲皮構成材料が、サイドライン又はステッチによる請求項１記載の外反母趾対応靴。
【請求項４】
踵骨外側、立方骨及び第４及び第５中足骨で形成されている外側縦アーチに対応する箇所を盛り高構造にしてクッション作用をもたせた請求項１〜３のいずれか１項に記載された外反母趾対応靴。
【発明の詳細な説明】
【技術分野】
【０００１】  本発明は外反母趾対応靴に関する。より詳細に述べれば、本発明は、外反母趾による痛みのある部分と靴の胛皮との接触を回避し、もって外反母趾に罹患している人の痛みを軽減する靴本体と前記の効果に寄与する構造を有するインソールとの組合せから成る外反母趾対応靴に関する。
【背景技術】
【０００２】  外反母趾の主原因は足に合わない靴を履くことであるが、家族性に発症する傾向がある。特に女性の靴がファッション性を優先して足に合わないことが多いため、外反母趾は女性に多く発症する。外反母趾になると、第１中足骨底部と足根骨から成る足根中足関節が内反するため、開帳足やアーチの低下を惹起する。親指の小指側への転移が起きるため、基節骨、中節骨及び末節骨で形成されている親指の指先は、小指の方を向く。その結果、第１中足骨頭部と母趾基節骨からなる中足指節関節が足の内側に隆起する。このふくらみの下には滑液包がある。滑液包は靴との摩擦で刺激を受けるため、こぶの下で腫れて次第に大きくなる。このような状態を腱膜瘤という。靴の摩擦による腱膜瘤の刺激が続くと、骨も増殖や滑液包の腫れを増大させ、ますます足の幅が広くなり、親指と小指の付け根が形成する、いわゆる横アーチが平で幅広くなり、横アーチが崩れた状態になる。腱膜瘤の痛みや外反母趾が重度に進行すると外科手術で足指の位置を矯正しなければならない。従って、外反母趾の痛みを軽減し、進行を遅らせるために、腱膜瘤を保護するパッドをつけたり、患部の圧迫を軽減するように形成された靴が提案されてきた。【０００３】  特許文献１は、靴が屈曲する趾の付け根関節部分近くの甲皮と内底を伸縮可能な構造又は素材を用い、その下は弾性変形する素材を用い、この弾性素材に横方向から交互に溝を入れる、又は裏と表から深い溝を入れることでアコ−ディオン状にするか、弾性素材が網目状になるように貫通する切込みを入れるか、或いはこれを分割した靴底にすることで足の形状変化に合わせて伸縮できるようにしたことを特徴とする靴を開示している。この従来技術の靴は、歩行運動中最も負荷がかかる底部分の踏みつけ部周辺の内底に伸縮する構造若しくは素材を使用し、中底・外底は爪先の荷重を支える部分と踵の荷重を支える部分に２分割以上に分割し、最大３ｃｍの伸縮を可能としてものである。即ち、歩行運動中最も負荷がかかる底を少なくとも２個以上に分割したので、底の強度が不十分になる。さらに、外反母趾の痛みを軽減したり、進行を押さえるには、親指と小指が形成する横アーチが崩れないようにすることが重要である。この従来技術のように、歩行中靴の長さを長くした場合、一時的には効果があっても、経時的に横アーチが崩れて足幅が広くなり外反母趾を悪化させることになる。【０００４】  特許文献２は、甲皮における親指と小指の外側箇所にシャーリングを設けると共に、そのシャーリングの内側にゴムを用いた素材を重ね合わせたことを特徴とするゴルフシューズを開示している。特許文献２は、甲皮における親指と小指の外側箇所にシャーリングを有して外反母趾を防ぐことができると共に、ゴルフをする場合などは、そのシャーリングの過度な伸び過ぎを抑えて，足の指に対し適度な抵抗を与えて支障なく踏ん張れるようにすることが、極めて良好なフィット感を得られるゴルフシューズ等の靴を提供することを目的とすると記載している（［０００３］）。即ち、特許文献２が記載する靴は、本来ゴルフシューズであって、第１義的目的は、シャーリングの過度な伸び過ぎを抑えて，足の指に対し適度な抵抗を与えて支障なく踏ん張れるようにすることである。他方、外反母趾の痛みを軽減するには、第１趾の第１中足骨の内反箇所に当たる靴の素材が抵抗なく伸縮することであり、また外反母趾の進行を押さえるには、親指と小指が形成する横アーチが崩れないような構造にすることが重要である。従って、この従来技術も、外反母趾の痛みを軽減し且つ外反母趾の進行を押さえることはできない。【０００５】  特許文献３及び４に記載された従来技術は、共に靴の中敷の構造に関するものである。外反母趾の痛みを軽減し且つその進行を押さえるには、中敷（インソール）の構造を改良しただけでは不十分で、甲皮の外装材及び内装材の改良と一体的に行うことが必要である。従って、この従来技術も、外反母趾の痛みを軽減し且つ外反母趾の進行を押さえることはできない。
【先行技術文献】
【特許文献】
【０００６】
【特許文献１】実用新案登録第３１１９９７７号公報
【特許文献２】実用新案登録第３０１０１５４号公報
【特許文献３】特開２００１−３５３００５号公報
【特許文献４】特開平９−１９１９０４号公報
【発明の概要】
【発明が解決しようとする課題】
【０００７】  発明が解決しようとする第１の課題は、外反母趾による痛みのある部分と靴の胛皮との接触を回避し、もって外反母趾に罹患している人の痛みを軽減する外反母趾対応靴を提供することである。【０００８】  発明が解決しようとする第２の課題は、外反母趾による痛みのある部分と靴の胛皮との接触を回避し、もって外反母趾に罹患している人の痛みの軽減効果に寄与する解剖学的構造を有するインソールを提供することである。【０００９】  発明が解決しようとする第３の課題は、外反母趾による痛みのある部分と靴の胛皮との接触を回避し、もって外反母趾に罹患している人の痛みを軽減する材料を策定し、提供することである。【００１０】  発明が解決しようとする別の課題及び利点は以下逐次明らかにされる。
【課題を解決するための手段】
【００１１】  本発明者は、前記課題を解決するための手段を策定するために外反母趾の原因と症状を検討した。前述したように，外反母趾は、末節骨、中節骨及び基節骨から成る指骨、及び中足骨から構成されている母趾が、中足指関節で小趾側に外転する状態で、常に外反足を伴って母趾外転筋が過度に伸張されるため足底方向へも転移する。従って、内方に突出した第１中足骨骨頭は、靴のために圧迫摩擦されて、粘液嚢や仮骨の形成をみることもある。外反母趾の原因は、足に合わない靴をはくことであるが、家族性に発症する傾向がある。足には縦アーチと横アーチの２つのアーチがある。縦アーチは、いわゆる「土踏まず」で、横アーチは、母趾の付け根、小指の付け根、及び踵の３点で体重を支えている。正常な足は、筋肉や靱帯などで支えられ、アーチの形状と機能が保持されている。女性の靴のようにファッション性を優先して足に合わない靴を履いていると、アーチを支えている靱帯や筋肉が緩んできて支える力が弱くなり、アーチが下方に崩れて平になり、さらにアーチが崩れると、中足骨は徐々に横に広がって前述した外反母趾になる。【００１２】  かくて上記課題は下記の各項に記載した手段により解決される。１．第１中足骨骨頭から第１基節骨を含む箇所及び第５中足骨骨頭から第５基節骨を含む箇所を圧迫摩擦しない弾性甲皮構成材料で製造し、第１中足骨中央部分、第２中足骨中央部分、第３中足骨中央部分、第４中足骨中央部分及び第５中足骨中央部分を覆うウェスト部分を非弾性構成体で製造した靴本体、及び第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある盛り高構造にし、踵骨内側、舟状骨、第１楔状骨及び第１中足骨で形成されている内側アーチに対応する箇所をクッション作用がある盛り高構造にしたインソールとの組合せから成る外反母趾対応靴。【００１３】２．前記１項において、弾性甲皮構成材料は、ストレッチポリウレタン合皮又はストレッチ人工皮革と、スパンデックス、ストレッチサンドイッチメッシュ、ニット素材又はスウェット素材との組合せとする。【００１４】３．前記１項において、非弾性構成体は、サイドラインの配置またはステッチによるものとする。【００１５】４．さらに、前記１〜３のいずれか１項において、踵骨外側、立方骨及び第４及び第５中足骨で形成されている外側縦アーチに対応する箇所にクッション作用をもたせる。
【発明の効果】
【００１６】  請求項１に記載した発明により下記に例示した効果を奏功する。１．第１中足骨骨頭から第１基節骨を含む箇所及び第５中足骨骨頭から第５基節骨を含む箇所を圧迫摩擦しない弾性甲皮構成材料で製造したので、外反母趾による痛みのある部分と靴の胛皮との接触を回避し、もって外反母趾に罹患している人の痛みを抑制する効果がある。【００１７】２．第１中足骨中央部分、第２中足骨中央部分、第３中足骨中央部分、第４中足骨中央部分及び第５中足骨中央部分を覆うウェスト部分を非弾性構成体で製造したので、ウェスト部分の甲皮が覆う第１中足骨中央部分、第２中足骨中央部分、第３中足骨中央部分、第４中足骨中央部分及び第５中足骨中央部分がしっかりとホールドされ、靴の中で足が前方に滑るのが防止され、指先が押しつけられて足指が窮屈になるのが抑制され、それが無いと外反母趾による痛みが大きくなるのを防止することができる。【００１８】３．インソールにおいて、第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある盛り高構造にしたので、ボールジョイント部を下から持ち上げ、外反母趾に最も係わりがある横アーチが崩れ、母趾が外反するのを防止する効果がある。【００１９】４．運動不足、加齢或いは硬い床面の上で長時間靴を履くことにより、踵骨内側、舟状骨、第１楔状骨及び第１中足骨で形成されている内側アーチが崩れ、足にかかる衝撃力が足全体に分散され、第１〜第５中足骨及びその先につながる基節骨、中節骨及び末節骨から成る指骨にまで波及し、特に基節骨、中節骨及び末節骨から成る指骨は上方へ持ち上がった状態になり外反母趾に悪影響を与えるが、インソールにおいて踵骨内側、舟状骨、第１楔状骨及び第１中足骨で形成されている内側アーチに対応する箇所をクッション作用がある盛り高構造にすることにより、それを防止或いは抑制する効果がある。【００２０】  請求項２に記載した発明により、外反母趾対応靴の靴本体の第１中足骨骨頭から第１基節骨を含む箇所及び第５中足骨骨頭から第５基節骨を含む箇所をストレッチポリウレタン合皮又はストレッチ人工皮革と、スパンデックス、ストレッチサンドイッチメッシュ、ニット素材又はスウェット素材との組合せから成る弾性甲皮構成材料で製造したので当該箇所を圧迫摩擦せず、外反母趾による痛みを抑制し、且つストレッチポリウレタン合皮又はストレッチ人工皮革と、スパンデックス、ストレッチサンドイッチメッシュ、ニット素材又はスウェット素材との組合せから成る材料の靴材料として新たな用途が拡大される。【００２１】  請求項３に記載した発明により、外反母趾対応靴の靴本体の第１中足骨中央部分、第２中足骨中央部分、第３中足骨中央部分、第４中足骨中央部分及び第５中足骨中央部分を覆うウェスト部分に非弾性構成体としてサイドラインを配置またはステッチを入れたので、当該箇所を十分ホールドし、第１〜第５中足骨及びその先につながる基節骨、中節骨及び末節骨から成る指骨を前方へ移行するのを防止する効果がある。【００２２】  アーチは内側縦アーチ���外側縦アーチ及び横アーチの全てのアーチが正常な構造を維持することにより、足の機能及び健康が保持される。いずれか一つのアーチが崩れても全体のバランスが崩れる。外側縦アーチが外側に崩れると足が外反状態になり、逆に内側に崩れると足が内反状態になり、内側縦アーチと横アーチのバランス崩れる。請求項４に記載した発明により、踵骨外側、立方骨及び第４及び第５中足骨で形成されている外側縦アーチに対応する箇所を盛り高構造してクッション作用をもたせることにより、上述した欠陥を防止することができる。
【図面の簡単な説明】
【００２３】
【図１−１】靴の中の正常な足の骨格の状態の一部を示す概念図である。
【図１−２】靴の中の外反母趾に罹患した足の骨格の状態の一部を示す概念
【図１−３】本発明の１実施例に係わる靴本体の一部の構成材料と足の骨格との関係を示す概念図である。
【図２】図１−３において点線で示したウェスト部分を胛皮及び底を付けた靴で示した斜視図である。
【図３】本発明の１実施例に係わる靴本体の一部の構成材料を示す要部断面図である。
【図４−１】図３で示したメッシュ素材の拡大断面図である。
【図４−２】図３で示したメッシュ素材の拡大上面図である。
【図５】本発明の１実施例に係わる靴本体の図３で示した以外の構成材料を示す要部断面図である。
【図６】本発明の１実施例に係わるインソールの側面図である。
【図７】本発明の１実施例に係わるインソールの上面図である。
【図８】本発明の１実施例に係わるインソールと足の骨格の関係を示した透視斜視図である。
【図９】本発明の１実施例に係わるインソールと足の骨格の関係を示した透視上面図である。
【発明を実施するための形態】
【００２４】  以下、発明を実施するための形態を実施例をもって説明する。
【実施例】
【００２５】  図１−１は、靴の中の正常な足の骨格の状態の一部を示す概念図である。図１−１に示すように、正常な足の骨格は、第１中足骨１、第２中足骨２、第３中足骨３、第４中足骨４及び第５中足骨５からなる全ての中足骨、及び爪先に向かって第１中足骨１、第２中足骨２、第３中足骨３、第４中足骨４及び第５中足骨５につながる基節骨、中節骨及び末節骨から形成されている第１指骨６、第２指骨７、第３指骨８、第４指骨９及び第５指骨１０の、それぞれが、ほぼ真っ直ぐな状態で靴の中に収まっている。【００２６】  然しながら、家族因に大きく起因するが、デザイン重視の足に合わない窮屈な靴を長時間履いている間に、図１−２に示したような外反母趾になる。即ち、末節骨、中節骨及び基節骨から成る第１指骨６、及び第１中足骨１から構成されている母趾が、中足指関節で指骨１０側に外転し、常に外反足を伴って母趾外転筋が過度に伸張されるため足底方向へも転移する。従って、内方に突出した第１中足骨１の骨頭１１は、靴のために圧迫摩擦されて、粘液嚢や仮骨の形成をみることもある。重症になると、第１中足骨１の骨頭１１が内反、即ち、内側に突出し、第１指骨６が小趾側、即ち第５指骨１０へ外反し、さらに進行すると第１指骨６が第２指骨７の上に乗るようになる。外反母趾に罹患した足の自覚症状としては、第１中足骨１の骨頭１１から第１基節骨１２を含む箇所１５及び第５中足骨５の骨頭１３から第５基節骨１４を含む箇所１６が靴の胛皮により圧迫摩擦され痛くなる。【００２７】  そこで、図１−３に示したように、第１中足骨１の骨頭１１から第１基節骨１２を含む箇所１５及び第５中足骨５の骨頭１３から第５基節骨１４を含む箇所１６を圧迫摩擦しない弾性甲皮構成材料で製造した。図３は、本発明の１実施例に係わる靴本体の一部の構成材料を示す要部断面図である。図３において、１７はストレッチ合皮、１８は伸縮性メッシュ素材、１９はインソール、２０は中底、２１は靴本底である。図４は、図３で示したメッシュ素材の拡大図で、図４−１は図３で示したメッシュ素材の拡大断面図、図４−２は図３で示したメッシュ素材の拡大上面図である。メッシュ素材１８は、図４−１の断面図に示したように、厚さ方向では、蛇腹状スリット２２が形成されていて、横方向に自由に伸縮し、また図４−２の上面図に示したように、長手方向では、上から観察すると無数の円形状貫通孔２３が穿設されていて長手方向に自由に伸縮する構造になっている。従って、メッシュ素材１８は、全体として３次元方向に自由に伸縮する機能を有している。従って、第１中足骨１の骨頭１１から第１基節骨１２を含む箇所１５及び第５中足骨５の骨頭１３から第５基節骨１４を含む箇所１６を、図３に示しストレッチ合皮１７と３次元方向に伸縮性のあるメッシュ素材１８から構成された弾性甲皮構成材料で製造したので、当該箇所を圧迫摩擦することがなく、外反母趾による痛みのある部分と靴の胛皮との接触を回避し、もって外反母趾に罹患している人の痛みを抑制する効果がある。実施例では、ストレッチ合皮１７として帝人コードレ株式会社製の商品名「ＦＥＥＤＯＭ  ＤＸ」のポリウレタン合皮を使用したが、それに限定されず、たとえば、株式会社志摩商事の商���名「ウイストレッチ」のストレッチポリウレタン合皮、楓澤有限公司製の商品名「断力起毛上抗虹ＰＵ」のストレッチ人工皮革等を使用することもできる。また、実施例では、１８の伸縮性メッシュ素材として、シンメン株式会社製の商品名「ＷラッセルＰＵ１００」のストレッチサンドイッチメッシュを使用したが、その他クラレトレ−ディング製の商品名「ＴＧ−ＢＵＣＫ」のスパンデックス等を使用したが、当然これらに限定されず、市販されているニット素材や、スウェット素材等を使用できることは当業者のよく理解するところである。【００２８】  ところで、外反母趾の痛みの緩和或いは進行を抑制するには、第１中足骨１の骨頭１１から第１基節骨１２を含む箇所１５及び第５中足骨５の骨頭１３から第５基節骨１４を含む箇所１６を、図３に示しストレッチ合皮１７と３次元方向に伸縮性のあるメッシュ素材１８から構成された弾性甲皮構成材料で製造しただけでは不十分である。即ち、第１中足骨１の中央部分、第２中足骨２の中央部分、第３中足骨３の中央部分、第４中足骨４の中央部分及び第５中足骨５の中央部分を覆うウェスト部分（図２の矢印部分）をしっかりとホールドし、靴の中で足、特に第１〜第５指骨が前方に滑るのを防止し、指先が押しつけられて足指が窮屈になるのを抑制する必要がある。そこで、図１−３の点線で囲った部分（図２の矢印部分）にサイドラインを配置するかまたはステッチを入れることにより、当該箇所を十分ホールドし、第１〜第５中足骨及びその先につながる基節骨、中節骨及び末節骨から成る指骨を前方へ移行するのを防止する効果がある。【００２９】  上述した第１中足骨１の骨頭１１から第１基節骨１２を含む箇所１５及び第５中足骨５の骨頭１３から第５基節骨１４を含む箇所１６以外の胛皮は、通常使用されている非伸縮性の胛皮を使用した。図５は非伸縮性の胛皮の一例の断面図である。図５において、１９、２０及び２１は図３におけるそれらと同じ内容である。２４は、通常製靴業界で使用されているポリウレタン合皮、２５は通常通常製靴業界で使用されているナイロン素材である。このように、第１中足骨１の骨頭１１から第１基節骨１２を含む箇所１５、及び第５中足骨５の骨頭１３から第５基節骨１４を含む箇所１６を、図３に示しストレッチ合皮１７と３次元方向に伸縮性のあるメッシュ素材１８から構成された弾性甲皮構成材料で製造し、第１中足骨１の中央部分、第２中足骨２の中央部分、第３中足骨３の中央部分、第４中足骨４の中央部分及び第５中足骨５の中央部分を覆うウェスト部分にサイドラインを配置するかまたはステッチを入れることにより当該箇所をホールドし、靴の中で足、特に第１〜第５指骨が前方に滑るのを防止し、指先が押しつけられて足指が窮屈になるのを抑制し、且つ第１中足骨１の骨頭１１から第１基節骨１２を含む箇所１５及び第５中足骨５の骨頭１３から第５基節骨１４を含む箇所１６以外の胛皮は通常使用されている非伸縮性の胛皮で製造することにより、外反母趾に罹患している部位の痛みを抑制するともに、外反母趾を進行させたり、その痛みを拡大する素因を軽減することができる。非伸縮性の胛皮としては、南亜有限公司の商品名「ＮＡＰＰＡ  ＰＶＣ」のＰＶＣ合皮、南亜有限公司���商品名「Ｂ１４紋耐水ＰＵ」のＰＵ合皮、裏材として立木有限公司の商品名「Ｋ２３０  ＮＹＬＯＮ」等を使用しったが、当然これらに限定されないことは当業者のよく理解するところである。【００３０】  ところで、外反母趾に罹患している部位の痛みを抑制するともに、外反母趾を進行させたり、その痛みを拡大する素因を軽減するには、靴本体の構造や材料を改良しただけでは不十分である。理想的には、靴本体の構造や材料を改良し、さらに、インソールの構造を改良し、それらを組合せることによって、外反母趾に罹患している部位の痛みの抑制、外反母趾に罹患している部位の痛みを進行させたり、拡大する素因の軽減作用を相乗的に向上させることができる。【００３１】  図６は、本発明の１実施例に係わるインソールの側面図、図７は本発明の１実施例に係わるインソールの上面図、図８は本発明の１実施例に係わるインソールと足の骨格の関係を示した透視斜視図、及び図９は本発明の１実施例に係わるインソールと足の骨格の関係を示した透視上面図である。図６に示したように、本発明の１実施例に係わるインソール１９は、第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部２６をクッション作用がある盛り高構造にし、踵骨内側、舟状骨、第１楔状骨及び第１中足骨で形成されている内側アーチに対応する箇所２７をクッション作用がある盛り高構造にした。ボールジョイント部２６の上面構造は図７〜９に一例を示したように円形である。然しながら、ボールジョイント部２６は、年齢、性別、足の形状等諸要素によりバラツキがあるので、たとえば、図７の点線３７で示したように楕円形にしてもよい。そのことにより、円形２６より広範な部分のクッションを補強することができる。図８は本発明の１実施例に係わるインソールと足の骨格の関係を示した透視斜視図である。また、図９は本発明の１実施例に係わるインソールと足の骨格の関係を示した透視上面図である。図８及び図９に示したように、ボールジョイント部２６は、第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチを下方から補強して横アーチが崩れるのを防止している。【００３２】図９に示したように、第１（内側）楔状骨２８、第２（中間）楔状骨２９及び第３（外側）楔状骨３０、立方骨３１、舟状骨３２，踵骨３３，距骨３４，及び距骨滑車３５等で形成されている内側アーチに対応する箇所２７をクッション作用がある盛り高構造にした。内側アーチに対応する箇所２７の盛り高構造の断面形状は、いわゆる「土踏まず」の逆形状にして土踏まずを下から支え、土踏まずが形成する内側アーチが崩れるのを防止できるような形状にする。然しながら、第１（内側）楔状骨２８、第２（中間）楔状骨２９及び第３（外側）楔状骨３０、立方骨３１、舟状骨３２，踵骨３３，距骨３４，及び距骨滑車３５等で形成されている内側アーチに対応する箇所２７は、年齢、性別、足の形状等諸要素によりバラツキがあ���ので、たとえば、図７の点線３６で示したように楕円形にしてもよい。そのことにより、円形２６より広範な部分のクッションを補強することができる。【００３３】  図７において３８は外側縦アーチである。外側縦アーチ３８は、踵骨３３−立方骨３１−第５中足骨５から形成されていて、歩行時や体躯を左右に移動或いは動かすとき、体重を支え、重心の移動を速やかに行う機能を有していて、外側縦アーチ３８が崩れると、横アーチ及び内側縦アーチのバランスが崩れる。従って、外側縦アーチに対応する箇所３７を盛り高構造にしてクッション作用をもたせることが好ましい。
【産業上の利用可能性】
【００３４】  本発明は下記に例示する産業上の利用可能性がある。１．第１中足骨骨頭から第１基節骨を含む箇所及び第５中足骨骨頭から第５基節骨を含む箇所を圧迫摩擦しない弾性甲皮構成材料で製造し、第１中足骨中央部分、第２中足骨中央部分、第３中足骨中央部分、第４中足骨中央部分及び第５中足骨中央部分を覆うウェスト部分を非弾性構成体で製造した靴本体、及び第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある盛り高構造にし、踵骨内側、舟状骨、第１楔状骨及び第１中足骨で形成されている内側アーチに対応する箇所をクッション作用がある盛り高構造にしたインソールとの組合せから成る外反母趾対応靴として、靴本体とインソールとを組合せたので、外反母趾による痛みのある部分と靴の胛皮との接触を回避し、もって外反母趾に罹患している人の痛みを抑制し、ウェスト部分を非弾性構成体で製造したので、ウェスト部分の甲皮が覆う第１中足骨中央部分、第２中足骨中央部分、第３中足骨中央部分、第４中足骨中央部分及び第５中足骨中央部分がしっかりとホールドされ、靴の中で足が前方に滑るのが防止され、指先が押しつけられて足指が窮屈になるのが抑制され、それが無いと外反母趾による痛みが大きくなるのを防止することができ、インソールにおいて、第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある盛り高構造にしたので、ボールジョイント部を下から持ち上げ、外反母趾に最も係わりがある横アーチが崩れ、母趾が外反するのを防止し、運動不足、加齢或いは硬い床面の上で長時間靴を履くことにより、踵骨内側、舟状骨、第１楔状骨及び第１中足骨で形成されている内側アーチが崩れ、足にかかる衝撃力が足全体に分散され、第１〜第５中足骨及びその先につながる基節骨、中節骨及び末節骨から成る指骨にまで波及し、特に基節骨、中節骨及び末節骨から成る指骨は上方へ持ち上がった状態になり外反母趾に悪影響を与えるが、インソールにおいて踵骨内側、舟状骨、第１楔状骨及び第１中足骨で形成されている内側アーチに対応する箇所をクッション作用がある盛り高構造にすることにより、それを防止或いは抑制することができ、ほぼ理想的な外反母趾対応靴とインソールの組合わせが実現され、当業界に寄与する。【００３５】２．外反母趾対応靴の靴本体の第１中足骨骨頭から第１基節骨を含む箇所及び第５中足骨骨頭から第５基節骨を含む箇所をストレッチポリウレタン合皮又はストレッチ人工皮革と、スパンデックス、ストレッチサンドイッチメッシュ、ニット素材又はスウェット素材との組み合わせから成る弾性甲皮構成材料で製造したので当該箇所を圧迫摩擦せず、外反母趾による痛みを抑制し、且つストレッチポリウレタン合皮又はストレッチ人工皮革と、スパンデックス、ストレッチサンドイッチメッシュ、ニット素材又はスウェット素材との組み合わせから成る材料の���材料として新たな用途が拡大される。
【符号の説明】
【００３６】１    第１中足骨２    第２中足骨３    第３中足骨４    第４中足骨５    第５中足骨６    第１指骨７    第２指骨８    第３指骨９    第４指骨１０  第５指骨１１  第１中足骨骨頭１２  第１基節骨１３  第５中足骨５の骨頭１４  第５基節骨１５  第１基節骨１２を含む箇所１６  第５基節骨１４を含む箇所１７  ストレッチ合皮１８  伸縮性メッシュ素材１９  インソール２０  中底２１  靴本底２２  蛇腹状スリット２３  円形状貫通孔２４  ポリウレタン合皮２５  ナイロン素材２６  ボールジョイント部２７  内側アーチに対応する箇所２８  第１（内側）楔状骨２９  第２（中間）楔状骨３０  第３（外側）楔状骨３１  立方骨３２  舟状骨３３  踵骨３４  距骨３５  距骨滑車３６  点線３７  点線３８  外側縦アーチ
【図１−１】
2013111469.tif 000003
【図１−２】
2013111469.tif 000004
【図１−３】
2013111469.tif 000005
【図２】
2013111469.tif 000006
【図３】
2013111469.tif 000007
【図４−１】
2013111469.tif 000008
【図４−２】
2013111469.tif 000009
【図５】
2013111469.tif 000010
【図６】
2013111469.tif 000011
【図７】
2013111469.tif 000012
【図８】
2013111469.tif 000013
【図９】
2013111469.tif 000014
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
（１）第１中足骨骨頭から第１基節骨を含む箇所及び第５中足骨骨頭から第５基節骨を含む箇所を圧迫摩擦しない弾性甲皮構成材料で製造し、第１中足骨中央部分、第２中足骨中央部分、第３中足骨中央部分、第４中足骨中央部分及び第５中足骨中央部分を覆うウェスト部分を非弾性構成体で製造した靴本体、及び
（２）第１楔状骨、第２楔状骨及び第３楔状骨の３つの楔状骨と第３楔状骨の外側にある立方骨から形成される近位部横アーチ及び第１〜第５中足骨の５つの中足骨から形成される遠位部横アーチに対応するボールジョイント部をクッション作用がある楕円形の盛り高構造にし、踵骨内側、舟状骨、第１楔状骨及び第１中足骨で形成されている内側アーチに対応する箇所をクッション作用がある土踏まずの逆形状の盛り高構造にしたインソール、との組合せから成る外反母趾対応靴。
【請求項２】
前記弾性甲皮構成材料が、ストレッチポリウレタン合皮又はストレッチ人工皮革と、スパンデックス、ストレッチサンドイッチメッシュ、ニット素材又はスウェット素材との組合せである請求項１記載の外反母趾対応靴。
【請求項３】
前記非弾性構成体が、サイドライン又はステッチによる請求項１記載の外反母趾対応靴。
【請求項４】
踵骨外側、立方骨及び第４及び第５中足骨で形成されている外側縦アーチに対応する箇所を盛り高構造にしてクッション作用をもたせた請求項１〜３のいずれか１項に記載された外反母趾対応靴。